(57)【要約】【課題】従来の梱包箱に対して大幅に構成の追加または変更を行うことなく、吊り下げ時の強度を向上を図ることができる梱包箱を提供する。また、吊り下げて使用する場合、および棚等に積み上げて使用する場合のいずれの場合にも好適に使用することが可能な梱包箱を提供する。【解決手段】梱包箱１を組み立てた状態で、梱包箱１を吊り下げるのに使用する舌片２４に重なるように配置される舌片３３を底部端片２２に形成する。さらに、底部端片２２に、舌片３３および舌片２４の両方を挿入することが可能な切欠き３７を形成する。【選択図】図７
2004284631.tif 000002
【特許請求の範囲】
【請求項１】
折線を介して連続する複数の側面板と、
前記側面板のそれぞれに折線を介して前記側面板が連続する方向に直交する方向に延設され、それぞれの間に所定の間隙が設けられ、かつ、それぞれが梱包箱底面の一部を構成する複数の底部端片と、
梱包箱本体の懸垂用に用いる懸垂用吊り下げ片と、を含む板状片が一枚の展開された状態に形成され、前記折線を折り曲げて組み立てられる梱包箱において、
前記懸垂用吊り下げ片は、前記複数の側面板のうちの第１の側面板と前記第１の側面板に延設される第１の底部端片との間に位置する第１の折線上に両端が位置し前記第１の底部端片上に形成される切り目を、前記第１の折線を折り目にして切り起こして形成される第１の吊り下げ片と、
前記第１の側面板に隣接する第２の側面板に延設される第２の底部端片に延設され、前記第１の底部端片と前記第２の底部端片との間に位置する間隙に配置され、かつ、梱包箱本体の組み立て後に前記第１の吊り下げ片と重ねられる第２の吊り下げ片と、を含むことを特徴とする梱包箱。
【請求項２】
前記第２の吊り下げ片は、前記第２の底部端片に対して折り返し自在に形成されており、
前記第２の底部端片に、梱包箱本体の組み立て後における前記第１の吊り下げ片の少なくとも一部と、折り返された前記第２の吊り下げ片の少なくとも一部とが挿入される切欠き部を形成したことを特徴とする請求項１に記載の梱包箱。
【請求項３】
前記第１の吊り下げ片および前記第２の吊り下げ片は、それぞれ梱包箱本体を吊り下げるための吊り下げ部材が挿入される第１の吊り下げ孔および第２の吊り下げ孔を備えており、
梱包箱本体を展開した状態で、前記第１の側面板および前記第２の側面板の間に位置する側面側折線と、前記第１の側面板および前記第１の底部端片の間に位置する底面側折線と、の交点を原点とした場合に、
前記原点を中心とする所定の半径の円周上に、前記第１の吊り下げ孔および前記第２の吊り下げ孔が位置するように、前記第１の吊り下げ片および前記第２の吊り下げ片の位置および形状が設定されることを特徴とする請求項１または２に記載の梱包箱。
【請求項４】
前記第２の吊り下げ孔が、前記第１の吊り下げ孔よりも小さく形成されることを特徴とする請求項３に記載の梱包箱。
【請求項５】
梱包箱本体の組み立て時に、第１の底部端片における前記第１の吊り下げ片を切り起こして形成される空隙の内側を前記第２の吊り下げ片が通過するように、前記第１の底部端片の位置および形状が設定されることを特徴とする請求項１〜４のいずれかに記載の梱包箱。
【発明の詳細な説明】
【０００１】
【発明の属する技術分野】
この発明は、被梱包物を梱包する梱包箱に関し、特に懸垂用の吊り下げ部を備えた梱包箱に関する。
【０００２】
【従来の技術】
まず、図１〜図４を用いて懸垂用の吊り下げ部を備えた梱包箱の構成の一例を説明する。
【０００３】
図１は、一般的な梱包箱１００の構成の一例を示す展開図である。なお、同図において、実線（梱包箱１００の外縁を示す実線を除く。）は切り込み箇所を示しており、点線は折罫（折線）を示している。同図に示すように、梱包箱１００は、梱包箱底面を構成する底部端片２０、底部端片２１、底部端片２２、および底部端片２３と、梱包箱側面を構成する側面板４、側面板２９、側面板５および側面板３０と、梱包箱の蓋部を構成する蓋片６と、を備えている。なお、梱包箱１００は、上述の梱包箱底面、梱包箱側面、および梱包箱の蓋部を構成する部材以外にも、梱包箱の内部を仕切る部材等が設けられているが、ここでは、これらの部材についての説明は省略する。
【０００４】
梱包箱１００の側面を構成する側面板４、側面板２９、側面板５および側面板３０は、折線ａ、折線ｂ、および折線ｃを介して連続して配置されている。また、側面板４、側面板２９、側面板５および側面板３０には、梱包箱１００を展開した状態で一直線に配置される折線ｅ、折線ｇ、折線ｉ、折線ｌを介して梱包箱底面を構成する底部端片２０、底部端片２１、底部端片２２、および底部端片２３が延設されており、梱包箱側面を構成する側面板４、側面板２９、側面板５、および側面板３０のうち側面板４には、折線ｅとは反対側の折線ｄを介して蓋片６が延設されている。
【０００５】
図２は、梱包箱１００の組み立て時における状態を示しており、具体的には、折線ａ、折線ｂ、および折線ｃを直角に折り曲げて側面板４、側面板２９、側面板５、および側面板３０によって梱包箱１００の側面が形成されている状態を底面側から見た図を示している。なお、説明の便宜上、同図においては、底部端片２０、底部端片２１、底部端片２２、および底部端片２３は外側に直角に折り曲げられている。同図に示すように、梱包箱１００の側面部が形成されると、次に梱包箱１００の底面を形成するために、底部端片２０、底部端片２１、底部端片２２、および底部端片２３が順番に略直角に内側に折り曲げられて梱包箱１００の底面が形成される。
【０００６】
梱包箱１００の側面と底面とが形成されると、梱包箱１００は底面と対向する位置にある上面のみが開放した状態になるため、この上面から梱包箱１００に被梱包物を入れて、蓋片６によってこの上面を閉じることにより被梱包物が梱包箱１００に梱包される。
【０００７】
図３は、被梱包物を収容した梱包箱１００の底面を上にして配置した状態を示す斜視図である。ここで、底部端片２１には、折線ｇの一部を底辺とし懸垂用の吊り下げ孔２５を有する略三角形状の舌片２４が切り起こし可能な状態で形成されており、梱包箱１００を吊り下げるために舌片２４を切り起こすと、図４に示す状態になる。上述の梱包箱１００の構成によれば、被梱包物を梱包箱１００内部に収容しつつ、舌片２４に形成された吊り下げ孔２５の内部にフック等を通すことにより、梱包箱１００を吊り下げて展示等を行うことが可能になる。
【０００８】
また、懸垂用の吊り下げ部を備えた梱包箱の従来技術の他の例として、後壁（梱包箱１００の底面に相当する）から延設された懸垂用のフック片によって梱包箱を吊り下げる技術であって、フック片に形成された折罫に沿ってフック片を折り曲げて吊り下げ用孔の近傍の構造を２重にするとともに、梱包箱を吊り下げた時に折り返し片（梱包箱１００の側面板２９に相当する）に当接する係止片をフック片に設けることで、吊り下げ時の強度の向上を図っている懸垂用梱包箱がある（例えば、特許文献１参照。）。
【０００９】
【特許文献１】
特開平１０−８６９３４号公報
【発明が解決しようとする課題】
しかしながら、上述の梱包箱１００の構成においては、梱包箱１００によって梱包される被梱包物の重量によっては、吊り下げ時における舌片２４近傍の強度が十分にならない場合があるため、舌片２４の底辺近傍で破断等が生じることがあった。
【００１０】
図５は、梱包箱１００を吊り下げて使用している状態を示す斜視図である。また、図６は、図５の状態における梱包箱１００の側面断面図である。図５および図６を用いて、上述の舌片２４の底辺近傍における破断について説明する。これらの図に示すように、梱包箱１００に被梱包物を収容した後に、店頭におけるフック片４２等に梱包箱１００を吊り下げて商品陳列を行う際には、側面板２９と底部端片２１の間に形成された折線ｇを底辺として舌片２４を切り起こしている構造上、舌片２４と側面板２９が略直角に折り曲げられた状態となって吊り下げ強度が弱くなるために、上述の舌片２４の底辺近傍における破断が生じる。
【００１１】
すなわち、従来では、図６に示すように、商品陳列時に陳列棒等のフック片４２に対して負荷Ｆが生じるが、吊り下げ用孔２５を基点として負荷Ｆは略直角に折り曲げられた側面板２９の方向に加わるため、折線ｇ近辺から破れが生じ易くなっている。
【００１２】
また、上述の特許文献１に記載の懸垂用梱包箱は、専ら被梱包物を収容した状態で梱包箱を吊り下げることを想定したものであるため、例えば、この懸垂用梱包箱を吊り下げるのではなく、単に棚等に積み上げて陳列する場合には、フック片が邪魔になり、好適に陳列等ができないという不都合があった。
【００１３】
この発明の目的は、従来の梱包箱に対して大幅に構成の追加または変更を行うことなく、吊り下げ時の強度を向上を図ることができる梱包箱を提供することである。また、この発明の別の目的は、吊り下げて使用する場合、および棚等に積み上げて使用する場合のいずれの場合にも好適に使用することが可能な梱包箱を提供することである。
【００１４】
【課題を解決するための手段】
この発明は以下の構成を備えている。
【００１５】
（１）折線を介して連続する複数の側面板と、
前記側面板のそれぞれに折線を介して前記側面板が連続する方向に直交する方向に延設され、それぞれの間に所定の間隙が設けられ、かつ、それぞれが梱包箱底面の一部を構成する複数の底部端片と、
梱包箱本体の懸垂用に用いる懸垂用吊り下げ片と、を含む板状片が一枚の展開された状態に形成され、前記折線を折り曲げて組み立てられる梱包箱において、
前記懸垂用吊り下げ片は、前記複数の側面板のうちの第１の側面板と前記第１の側面板に延設される第１の底部端片との間に位置する第１の折線上に両端が位置し前記第１の底部端片上に形成される切り目を、前記第１の折線を折り目にして切り起こして形成される第１の吊り下げ片と、
前記第１の側面板に隣接する第２の側面板に延設される第２の底部端片に延設され、前記第１の底部端片と前記第２の底部端片との間に位置する間隙に配置され、かつ、梱包箱本体の組み立て後に前記第１の吊り下げ片と重ねられる第２の吊り下げ片と、を含むことを特徴とする。
【００１６】
この構成においては、展開された状態の梱包箱が折線に沿って折り曲げられて組み立てられ、内部に被梱包物が梱包された状態で梱包箱を展示等のために吊り下げる場合に、第１の折線を切り起こして形成される第１の吊り下げ片と、第２の底部端片に延設された第２の吊り下げ片と、が重なるように配置される。
【００１７】
したがって、被梱包物を梱包した状態で、第１の吊り下げ片のみを用いて梱包箱本体を吊り下げると、前記第１の折線の近傍で梱包箱が破断する虞がある場合等において、梱包箱本体を吊り下げる際に前記第１の吊り下げ片に第２の吊り下げ片を重ねることにより、前記第１の折線近傍に被梱包物の重量による負荷が集中することがなく、また、懸垂用の吊り下げ片全体の強度が向上するため吊り下げ時における梱包箱の破断等が防止される。
【００１８】
（２）前記第２の吊り下げ片は、前記第２の底部端片に対して折り返し自在に形成されており、
前記第２の底部端片に、梱包箱本体の組み立て後における前記第１の吊り下げ片の少なくとも一部と、折り返された前記第２の吊り下げ片の少なくとも一部とが挿入される切欠き部を形成したことを特徴とする。
【００１９】
この構成においては、第２の底部端片に対して１８０度に折り返された第２の吊り下げ片の一部または全部と、前記第１の折線で折り曲げられた第１の吊り下げ片の一部または全部が挿入可能な切欠き部が前記第２の底部端片上に形成されている。
【００２０】
したがって、前記第１の吊り下げ片および前記第２の吊り下げ片が前記切欠き部に収容されると、懸垂用の吊り下げ片が梱包箱の外縁から突出しないため、梱包箱を吊り下げることなく棚等に積み上げるような使用形態においても本発明の梱包箱が好適に使用される。
【００２１】
（３）前記第１の吊り下げ片および前記第２の吊り下げ片は、それぞれ梱包箱本体を吊り下げるための吊り下げ部材が挿入される第１の吊り下げ孔および第２の吊り下げ孔を備えており、
梱包箱本体を展開した状態で、前記第１の側面板および前記第２の側面板の間に位置する側面側折線と、前記第１の側面板および前記第１の底部端片の間に位置する底面側折線と、の交点を原点とした場合に、
前記原点を中心とする所定の半径の円周上に、前記第１の吊り下げ孔および前記第２の吊り下げ孔が位置するように、前記第１の吊り下げ片および前記第２の吊り下げ片の位置および形状が設定されることを特徴とする。
【００２２】
この構成においては、第１の吊り下げ片および第２の吊り下げ片にそれぞれ第１の吊り下げ孔および第２の吊り下げ孔を形成して、これらの吊り下げ孔に梱包箱を吊るための部材を通して梱包箱が吊り下げられるところ、梱包箱を組み立てて吊り下げるときに前記第１の吊り下げ孔と前記第２の吊り下げ孔とが重なるように前記第１の吊り下げ片および前記第２の吊り下げ片が形成される。
【００２３】
したがって、前記第１の吊り下げ孔および前記第２の吊り下げ孔の両方に単一の吊り下げ部材が容易に挿入されるため、第１の吊り下げ片および第２の吊り下げ片の両方を用いて前記梱包箱を吊り下げる作業が容易に行われる。
【００２４】
（４）前記第２の吊り下げ孔が、前記第１の吊り下げ孔よりも小さく形成されることを特徴とする。
【００２５】
この構成においては、梱包箱の吊り下げ時に作用する力に直交する側面板の形成されている第１の吊り下げ片における第１の吊り下げ孔よりも、前記吊り下げ時に作用する力に沿って配置されている底部端片に形成されている第２の吊り下げ片における第２の吊り下げ孔が小さく形成されている。
【００２６】
したがって、梱包箱の吊り下げ時に作用する力の半分以上は、前記第１の吊り下げ片よりも強度がある前記第２の吊り下げ片側に作用するため、梱包箱の吊り下げ時において前記第１の吊り下げ片が破損することが防止される。
【００２７】
（５）梱包箱本体の組み立て時に、第１の底部端片における前記第１の吊り下げ片を切り起こして形成される空隙の内側を前記第２の吊り下げ片が通過するように、前記第１の底部端片の位置および形状が設定されることを特徴とする。
【００２８】
この構成においては、梱包箱本体の組み立て時に、第１の底部端片における前記第１の吊り下げ片を切り起こして形成される空隙の内側を前記第２の吊り下げ片が通過するように、前記第１の吊り下げ片を構成する前記切り目の前記第１の折線上における両端の幅が、前記第２の吊り下げ部材における前記通過方向に直交する方向の最大幅よりも大きく設定され、また、前記第１の底部端片における前記切り目が形成される位置が設定される。
【００２９】
したがって、前記第２の吊り下げ部材を前記第２の底部端片に形成している場合でも、前梱包箱の底面を形成する際において前記第１の底部端片および前記第２の底部端片を折り重ねる順序が限定されることがなく、それぞれの底部端片の形状の自由度が向上する。
【００３０】
【発明の実施の形態】
以下、図を用いて本発明の梱包箱の実施形態としてＰＤＡ用梱包箱１（以下、単に梱包箱１という。）の構成を説明する。なお、梱包箱１によって梱包される製品がＰＤＡに限定されないことはいうまでもなく、ポータブルカセットレコーダやポータブルＭＤプレーヤ等の他の製品を梱包するためにも梱包箱１を使用することは可能である。
【００３１】
図７は、第１の実施形態における梱包箱１の構成を示す展開図である。なお、同図において、紙製の板状部材から梱包箱１が形どられるときに切断される箇所、または切り込みが形成される箇所を実線で示しており、梱包箱１が組み立てられるときに折り曲げられる箇所を点線で示している。
【００３２】
同図に示すように、梱包箱１は、梱包箱底面を構成する底部端片２０、底部端片２１、底部端片２２、および底部端片２３と、梱包箱側面を構成する側面板４、側面板２９、側面板５および側面板３０と、梱包箱の蓋部を構成する蓋片６と、を備えている。さらに、梱包箱１は、内部にＰＤＡ本体の他に取り扱い説明書やＡＣアダプタ等が梱包されるため、梱包時にこれらを仕切るため後述の仕切部材が設けられる。
【００３３】
梱包箱１の側面を構成する側面板４、側面板２９、側面板５および側面板３０は、それぞれが梱包箱１の側面を構成するものであるところ、側面板４と側面板２９との間に折罫としての折線ａが形成されており、側面板２９と側面板５との間に折線ｂが形成されており、側面板５と側面板３０との間に折線ｃが形成されている。また、側面板４には、折線ａとは反対側に形成される折線ｍを介して継ぎしろ３９が延設されている。
【００３４】
また、側面板４、側面板２９、側面板５、および側面板３０には、梱包箱１を展開した状態で、図中において側面板４、側面板２９、側面板５、および側面板３０の下側に直線状に配置される折線ｅ、折線ｇ、折線ｉ、および折線ｌを介して、それぞれが梱包箱底面の一部を構成する底部端片２０、底部端片２１、底部端片２２、および底部端片２３がそれぞれ延設されている。ここで、同図に示すように、底部端片２０、底部端片２１、底部端片２２、および底部端片２３が梱包箱底面を組み合わせるのに適した形状に加工されているため、底部端片２０と底部端片２１と間、底部端片２１と底部端片２２との間、底部端片２２と底部端片２３との間にはそれぞれ所定の大きさの間隙が形成される。
【００３５】
さらに、側面板４における折線ｅの反対側には、折線ｄを介して蓋片６が延設されており、側面板２９における折線ｇの反対側には、折線ｆを介してＡＣアダプタを効果的に収容するための仕切部材１０（仕切片１０ａ、仕切片１０ｂ、および仕切片１０ｃ）が延設されている。さらに、側面板５における折線ｉの反対側には、折線ｈを介してＰＤＡ本体および付属部品を効果的に収容するための仕切部材１５（仕切片１５ａ、および仕切片１５ｂ）が延設されており、側面板３０における折線ｌの反対側には、折線ｋを介して取り扱い説明書を効果的に収容するための仕切板１３が延設されている。
【００３６】
また、蓋片６には、折線ｄと反対側に位置する折線ｎを介して係止片７が延設されている。この折線ｎの略中央部には長孔９が形成されている。この長孔９には、後述する舌片１６が挿入されるが、舌片１６は、側面板５の上部の中央近傍に形成される。
【００３７】
すなわち、梱包箱１が展開された状態で、仕切片１５ｂおよび側面板５には図７の実線で示す切り目２８が形成され、切り目２８が形成された後に折線ｕを折り目にして、舌片１６が切り起こされる。舌片１６は、さらに折線ｔを挟んで連続する端片１６ａおよび端片１６ｂで構成されている。
【００３８】
側面板５から折線ｈを介して延設される仕切部材１５は、使用時に梱包箱１の底面に面接触する仕切り片１５ａ、使用時に梱包箱１の側面板５に面接触する仕切り片１５ｂ、仕切り片１５ａ上に置かれるＰＤＡ本体とその付属物との間を仕切る仕切片１５ｃ、およびＡＣアダプタとＰＤＡ本体と間を仕切る仕切り片１５ｄを備えている。
【００３９】
また、仕切部材１０は、仕切片１０ａ、仕切片１０ｂ、および仕切片１０ｃを備えており、折線ｆ、折線ｐ、および折線ｏにおいて、仕切片１０ａ、仕切片１０ｂ、および仕切片１０ｃが略９０度内側に折り曲げられることにより、ＡＣアダプタが梱包される。さらに、仕切板１３は、上述のＰＤＡ本体および付属物と後から梱包される取り扱い説明書との間を仕切るものである。
【００４０】
ここで、本発明の梱包箱１には、懸垂用の吊り下げ片が設けられている。本実施形態では、吊り下げ片は、第１の吊り下げ片としての舌片２４と、第２の吊り下げ片としての舌片３３と、で構成される。本発明において、吊り下げ片を構成する舌片２４および舌片３３は必須的構成要素であるが、このことは、舌片２４および舌片３３以外の舌片等を吊り下げ片として形成することを排除するものと解釈すべきではなく、適宜他の舌片等を形成することも可能である。
【００４１】
第１の吊り下げ片としての舌片２４は、底部端片２１に形成された概略Ｖの字型の切れ目が、折線ｇを折り目にして切り起こされることによって形成される。このとき、前記切れ目は、その両端が折線ｇ上に位置するように形成される。また、底部端片２１上に形成される切れ目の形状によって舌辺２４の形状が決定される。本実施形態は、底部端片２１に、折線ｇの一部を底辺とし、懸垂用の第１の吊り下げ孔としての吊り下げ孔２５を有する略三角形状の舌片２４が切り起こし可能な状態で形成されている。このとき、舌片２４を構成する切り目をミシン目にすることで、折線ｇを折り目にして舌片２４を切り起こすのが容易になり、また、舌片２４を梱包箱１を吊り下げるために使用しない場合には、切り目を折線ｇを折り目として切り起こすことなく底部端片２１の一部を構成する状態で放置しておくことも可能である。なお、図１１に舌片２４の切り起こしの状態を示している。
【００４２】
次に、本発明の特徴部となる第２の吊り下げ片としての舌片３３を説明する。舌片３３は底部端片２２に形成される。このとき、舌片３３は底部端片２１と底部端片２２との間に設けられる間隙に収まるように配置される。また、舌片３３には第２の吊り下げ孔としての吊り下げ孔３４が形成されている。
【００４３】
ここで、吊り下げ孔２５および吊り下げ孔３４は、折線ｇと折線ｂとの交点を原点とする適当な大きさの半径を有する円の円周上に位置するように配置される。これは、梱包箱１を組み立てた後であって、舌片２４と舌片３３とを重ね合わせたときに、吊り下げ孔２５および吊り下げ孔３４を、容易に同一の吊り下げ部材に通すことを可能にするためである。なお、吊り下げ片の形状は、必ずしも吊り下げ孔に吊り下げ部材を通す構成である必要はなく、例えば、吊り下げ片をフック状に形成したり、２枚重ねた状態で吊り下げ片を把持機構等に挟持させて梱包箱１を吊り下げるようにすることも可能である。
【００４４】
また、本実施形態では、底部端片２２と舌片３３との間には折線ｖが形成されているが、梱包箱１を吊り下げるときに底部端片２２と舌片３３とが同一直線上に配置されることを考慮すると、本発明の実施するにあたって折線ｖは必ずしも必須的構成要素にはならない。
【００４５】
図８は、梱包箱１を組み立てる時における状態を示しており、具体的には、折線ａ、折線ｂ、および折線ｃにおいて側面板４、側面板２９、側面板５、および側面板３０を直角に折り曲げて梱包箱１の側面が形成されている状態を示している。同図に示すように、梱包箱１の側面部が形成された後、今度は梱包箱１の底面を形成するために、底部端片２０、底部端片２１、底部端片２２、および底部端片２３を順番に略直角に内側に折り曲げると、梱包箱１の底面が形成される。なお、このとき、底部端片２０、底部端片２１、底部端片２２、そして底部端片２３の順に略９０度内側へ折り込んで梱包箱１の底組みが行われる。
【００４６】
梱包箱１の側面と底面とが形成されると、梱包箱１は底面と対向する位置にある上面のみが開放した状態になるため、この上面から梱包箱１に被梱包物を挿入し蓋片６によってこの上面を閉じることにより被梱包物が梱包箱１に梱包される。
【００４７】
ここで、同図を用いて、本発明の特徴部となる舌片２４および舌片３３の構成をさらに説明する。舌片２４および舌片３３に形成される吊り下げ用孔２５および吊り下げ用孔３４の位置を示している。上述したように、吊り下げ用孔２５および吊り下げ用孔３４の位置は、第１の吊り下げ舌片２４と第２の吊り下げ舌片３３を形成する際に図中におけるａ−ａ寸法、およびｂ−ｂ寸法を調整することで、梱包箱１を組み立てた時に、吊り下げ用孔２５と吊り下げ用孔３４とが重なるように配置することが可能である。
【００４８】
さらに、この時に第２の吊り下げ舌片３３内の吊り下げ用穴３４の大きさを第１の吊り下げ舌片２４内の吊り下げ用穴２５よりも小さめにすることで、梱包箱１本体を吊り下げた時における負荷Ｆの大部分が第１の吊り下げ舌片２４に比較して強度のある第２の吊り下げ舌片３３側へ集中してかかるようにすることが可能になる。
【００４９】
また、底部端片２２内に折線ｘを有する切欠き３７を設けることで図１４に示すように折線ｘから舌片２４の少なくとも一部および舌片３３の少なくとも一部を挿入することができ、梱包箱１を懸垂用ではなく、棚等に積み上げて陳列する際に用いる標準の梱包箱として使用することも可能となる。このとき、さらに舌片２４および舌片３３内に、それぞれ折線ｙおよび折線ｗを形成することで切欠き３７への挿入が行い易くなる。
【００５０】
図９は、組み立て後の本発明の梱包箱１の構成を示す斜視図である。同図に示すように、梱包箱１の底面および側面が形成されると、次に上述の仕切部材１０、仕切部材１３、および仕切部材１５によって効果的に梱包箱１の内部空間を仕切りつつ被梱包物が梱包される。図９に示すように、側面板５から延在した仕切部材１５の仕切片１５ｂを矢印方向へ略１８０度内側に折り曲げて側面板５と折り重ね合わせた後、仕切片１５ｂから延在した仕切片１５ａを略９０度外側に折り曲げて底部収納場所を形成し、被梱包物を収納する。
【００５１】
さらに、仕切片１０ａ、仕切片１０ｂ、および仕切片１０ｃを略９０度内側へ折り曲げてＡＣアダプタを梱包する空間が形成される。また、側面板４から延在した蓋片６は、折線ｄを折り目にして略９０度内側に折り曲げられ、蓋片６と内蓋端片１３との間に取り扱い説明書が収納される空間が形成される。
【００５２】
図１０（ａ）および図１０（ｂ）は、被梱包物としてのＰＤＡ５０が梱包される状態を示している。同図に示すように、まず仕切部材１５によって底部収容場所が形成された後に、ＡＣアダプタ５０ａが梱包箱１に挿入され仕切部材１０によって梱包される。次に、ＰＤＡ本体５０ｄおよび付属部品５０ｃが梱包箱１に挿入され仕切部材１３によって覆い隠される。そして、仕切部材１３上に取り扱い説明書５０ｂが載置された後に蓋片６が閉じられる。このとき、側面板５に形成された舌片１６を蓋片６に形成された長孔９に挿入することによりＰＤＡ５０の梱包が完了する。
【００５３】
図１２は、本発明の梱包箱１を吊り下げて使用する際の構成を示す図である。同図に示すように、ＰＤＡ５０の梱包が完了し、その状態で梱包箱１を吊り下げる場合には、舌片２４および舌片３３が吊り下げ片として用いられる。舌片２４および舌片３３を吊り下げ片として用いる場合には、舌片２４および舌片３３が重ねられる。そして、本実施形態では吊り下げ孔２５と吊り下げ孔３４とが重なる位置に配置されるため、吊り下げ孔２５および吊り下げ孔３４に梱包箱１を吊り下げるフック片４２を通すことにより梱包箱１の吊り下げが行われる。
【００５４】
また、同図に示すように、舌片３３は、底部端片２１における舌片２４を切り起こして形成された穴を通過する。このため、底部端片２０〜２３を用いて底組みする際の各底部端片を組み入れる順序の自由度を向上させることができる。
【００５５】
図１３は、梱包箱１が吊り下げられた状態を示す側面断面図である。従来では、商品陳列時に陳列棒等のフック片４２に対して負荷Ｆが生じ、その負荷Ｆが吊り下げ用孔２５を基点として負荷Ｆは略直角に折り曲げられた側面板２９の方向に加わるため、折線ｇ近辺から破れが生じていたが、本発明の梱包箱１では吊り下げ部材として舌片（２４、３３）が２つ設けられており、かつ、これらの２つの舌片（２４、３３）が重なった状態で用いられることにより、従来のような不都合が生じることが防止されている。
【００５６】
すなわち、同図に示すように、フック片４２に対して負荷Ｆの力が生じるが、この負荷Ｆを舌片３３内に設けられた吊り下げ孔３４を基点として保持しているおり、この舌片３３が底部端片２２の端部から吊り下げ方向に平行に延設されているため、舌片２４のみを吊り下げ片としていた従来の梱包箱よりも吊り下げに対する強度が向上している。特に、舌片２４と舌片３３とを重ね、同時に吊り下げ片として使用することにより、上述のようにさらなる強度の向上を図ることが可能になる。
【００５７】
図１５は、第２の実施形態における梱包箱１を構成を示している。第２の実施形態における梱包箱１は第１の実施形態における梱包箱１と基本構成は同一であるが、同図に示すように、第２の実施形態における梱包箱１は舌片３３′、切欠き３７′、および舌片２４′が第１の実施形態における梱包箱１とは異なった箇所に配置されている。
【００５８】
具体的には、舌片３３′および切欠き３７′は、底部端片２２における第１の実施形態の舌片３３および切欠き３７が形成されていた位置とは反対側に形成されている。また、舌片２４′は展開した状態で底部端片２２を挟んで底部端片２１の反対側に位置する底部端片２３に形成されている。
【００５９】
図１６は、展開した状態の梱包箱１を、図７における折線ａおよび折線ｃを折り目にして折り曲げた状態、すなわち生産された梱包箱１を保存または運搬する状態を示している。そして、図１６（ａ）が第１の実施形態における梱包箱１を示しており、図１６（ｂ）が第２の実施形態における梱包箱１を示している。
【００６０】
これらの図が示すように、折線ａおよび折線ｃを折り目として梱包箱１を折り曲げる場合には、第１の実施形態における梱包箱１の方が、梱包箱１を運搬等するときに舌片３３が外部に突出することがない点で優れている。一方で、折線ｂを折り目にして梱包箱１を折り曲げる際には、第２の実施形態における梱包箱１の方が、梱包箱１を運搬等するときに舌片３３が外部に突出することがない点で優れている。このように、梱包箱１の運搬時等における折り目の位置と、舌片３３、舌片２４、および切欠き３７を設ける位置を適宜調整することにより、梱包箱１の設計の自由度が向上する。
【００６１】
【発明の効果】
以上のように、この発明によれば、以下の効果を奏することができる。
【００６２】
（１）展開された状態の梱包箱が折線に沿って折り曲げられて組み立てられ、内部に被梱包物が梱包された状態で梱包箱を展示等のために吊り下げる場合に、第１の折線を切り起こして形成される第１の吊り下げ片と、第２の底部端片に延設された第２の吊り下げ片と、を重なるように配置したことにより、被梱包物を梱包した状態で、第１の吊り下げ片のみを用いて梱包箱本体を吊り下げると、前記第１の折線の近傍で梱包箱が破断する虞がある場合等において、梱包箱本体を吊り下げる際に前記第１の吊り下げ片に第２の吊り下げ片を重ねることで前記第１の折線近傍に被梱包物の重量による負荷が集中することを防止し、また、懸垂用の吊り下げ片全体の強度を向上させることができるため吊り下げ時における梱包箱の破断等を防止することが可能になる。
【００６３】
（２）第２の底部端片に対して１８０度に折り返された第２の吊り下げ片の一部または全部と、前記第１の折線で折り曲げられた第１の吊り下げ片の一部または全部とを挿入することが可能な切欠き部を前記第２の底部端片上に形成したことにより、前記第１の吊り下げ片および前記第２の吊り下げ片を前記切欠き部に収容して、懸垂用の吊り下げ片が梱包箱の外縁から突出することを防止できるため、梱包箱を吊り下げることなく棚等に積み上げるような使用形態においても本発明の梱包箱を好適に使用することが可能になる。
【００６４】
（３）第１の吊り下げ片および第２の吊り下げ片にそれぞれ第１の吊り下げ孔および第２の吊り下げ孔を形成して、これらの吊り下げ孔に梱包箱を吊るための部材を通して梱包箱が吊り下げられるところ、梱包箱を組み立てて吊り下げるときに前記第１の吊り下げ孔と前記第２の吊り下げ孔とを重なるように前記第１の吊り下げ片および前記第２の吊り下げ片を形成したことにより、容易に前記第１の吊り下げ孔および前記第２の吊り下げ孔の両方に単一の吊り下げ部材を挿入することが可能になり、第１の吊り下げ片および第２の吊り下げ片の両方を用いて前記梱包箱を吊り下げる作業を容易に行うことができる。
【００６５】
（４）梱包箱の吊り下げ時に作用する力に直交する側面板の形成されている第１の吊り下げ片における第１の吊り下げ孔よりも、前記吊り下げ時に作用する力に沿って配置されている底部端片に形成されている第２の吊り下げ片における第２の吊り下げ孔を小さく形成したことにより、梱包箱の吊り下げ時に作用する力の半分以上は、前記第１の吊り下げ片よりも強度がある前記第２の吊り下げ片側に作用するため、梱包箱の吊り下げ時において前記第１の吊り下げ片が破損することを防止することが可能になる。
【００６６】
（５）梱包箱本体の組み立て時に、第１の底部端片における前記第１の吊り下げ片を切り起こして形成される空隙の内側を前記第２の吊り下げ片が通過するように、前記第１の吊り下げ片を構成する前記切り目の前記第１の折線上における両端の幅を、前記第２の吊り下げ部材における前記通過方向に直交する方向の最大幅よりも大きく設定し、また、前記第１の底部端片における前記切り目が形成される位置を設定したことにより、前記第２の吊り下げ部材を前記第２の底部端片に形成している場合でも、前梱包箱の底面を形成する際において前記第１の底部端片および前記第２の底部端片を折り重ねる順序が限定されることがなく、それぞれの底部端片の形状の自由度を向上させることが可能になる。
【００６７】
よって、従来の梱包箱に対して大幅に構成の追加または変更を行うことなく、吊り下げ時の強度を向上を図ることができる梱包箱を提供することができる。また、吊り下げて使用する場合、および棚等に積み上げて使用する場合のいずれの場合にも好適に使用することが可能な梱包箱を提供することができる。
【図面の簡単な説明】
【図１】従来の梱包箱の構成の一例を示す展開図である。
【図２】従来の梱包箱の組み立て過程を示す図である。
【図３】従来の梱包箱の組み立て後の状態を示す斜視図である。
【図４】従来の梱包箱における吊り下げ片を示す図である。
【図５】従来の梱包箱の吊り下げ時の状態を示す斜視図である。
【図６】従来の梱包箱の吊り下げ時の状態を示す断面図である。
【図７】第１の実施形態における梱包箱の構成を示す展開図である。
【図８】本発明の梱包箱の組み立て過程を示す図である。
【図９】本発明の梱包箱の組み立て過程を示す図である。
【図１０】本発明の梱包箱による梱包状態を示す図である。
【図１１】本発明の梱包箱における吊り下げ片を示す図である。
【図１２】本発明の梱包箱の吊り下げ時の状態を示す斜視図である。
【図１３】本発明の梱包箱の吊り下げ時の状態を示す断面図である。
【図１４】本発明の梱包箱の吊り下げ片の状態を示す図である。
【図１５】第２の実施形態における梱包箱の構成を示す展開図である。
【図１６】本発明の梱包箱の保存時または運搬時等の状態を示す図である。
【符号の説明】
１−梱包箱
５−側面板（第２の側面板）
６−蓋片
１０（１０ａ〜１０ｃ）−仕切部材
１３−仕切板
１５（１５ａ〜１５ｄ）−仕切部材
１６（１６ａ、１６ｂ）−舌片
２０−底部端片
２１−底部端片（第１の底部端片）
２２−底部端片（第２の底部端片）
２３−底部端片
２４−舌片（第１の吊り下げ片）
２５−吊り下げ孔（第１の吊り下げ孔）
２８−切欠き
２９−側面板（第１の側面板）
３３−舌片（第２の吊り下げ片）
３４−孔（第２の吊り下げ孔）
【図１】
2004284631.tif 000003
【図２】
2004284631.tif 000004
【図３】
2004284631.tif 000005
【図４】
2004284631.tif 000006
【図５】
2004284631.tif 000007
【図６】
2004284631.tif 000008
【図７】
2004284631.tif 000009
【図８】
2004284631.tif 000010
【図９】
2004284631.tif 000011
【図１０】
2004284631.tif 000012
【図１１】
2004284631.tif 000013
【図１２】
2004284631.tif 000014
【図１３】
2004284631.tif 000015
【図１４】
2004284631.tif 000016
【図１５】
2004284631.tif 000017
【図１６】
2004284631.tif 000018